(57)【特許請求の範囲】
【請求項１】
合金組成がＦｅ１００−ａ−ｂ−ｃ−ｄＭａＳｉｂＢｃＣｕｄ（原子％）で表され、０≦ａ≦１０、０≦ｂ≦２０、４≦ｃ≦２０、０．１≦ｄ≦３、９≦ａ＋ｂ＋ｃ≦３５および不可避不純物からなる非晶質合金薄帯であり、ここでＭはＴｉ、Ｖ、Ｚｒ、Ｎｂ、Ｍｏ、Ｈｆ、Ｔａ、Ｗから選ばれた少なくとも１種の元素であり、前記非晶質合金薄帯の表面側に最表面部よりも高い濃度でＣｕが偏析しているＣｕ偏析部が存在し、そのＣｕ偏析部でのＣｕ濃度の最大値が４原子％以下であることを特徴とする非晶質合金薄帯。
【請求項２】
前記Ｃｕ偏析部でのＣｕ濃度の最大値が薄帯表面から５００ｎｍの位置のＣｕ濃度よりも高く、前記Ｃｕ偏析部より表面側の位置にＳｉの偏析部が存在することを特徴とする請求項１に記載の非晶質合金薄帯。
【請求項３】
Ｓｉ量ｂが８≦ｂ≦１７、Ｂ量ｃが５≦ｃ≦１０、Ｃｕ量ｄが０．４≦ｄ≦２であることを特徴とする請求項１又は請求項２に記載の非晶質合金薄帯。
【請求項４】
Ｆｅ量の５０％以下をＣｏ、Ｎｉから選ばれた少なくとも１種の元素で置換したことを特徴とする請求項１乃至請求項３のいずれかに記載の非晶質合金薄帯。
【請求項５】
ＳｉとＢの総量の５０％以下をＣ、Ａｌ、Ｐ、Ｇａ、Ｇｅから選ばれた少なくとも１種の元素で置換したことを特徴とする請求項１乃至請求項４のいずれかに記載の非晶質合金薄帯。
【請求項６】
Ｍ量の５０％以下をＣｒ、Ｍｎ、Ｚｎ、Ａｓ、Ｓｅ、Ｓｂ、Ｓｎ、Ｉｎ、Ｃｄ、Ａｇ、Ｂｉ、Ｍｇ、Ｓｃ、Ｒｅ、Ａｕ、白金族元素、Ｙ、希土類元素から選ばれた少なくとも１種の元素で置換したことを特徴とする請求項１乃至請求項５のいずれかに記載の非晶質合金薄帯。
【請求項７】
請求項１乃至請求項６に記載の非晶質合金薄帯にナノ結晶化の熱処理を施したことを特徴とするナノ結晶軟磁性合金。
【請求項８】
請求項７に記載のナノ結晶軟磁性合金を用いたことを特徴とする磁心。
【請求項９】
非晶質合金の表面側に最表面部よりもＣｕが偏析しているＣｕ偏析部が存在し、このＣｕ偏析部でのＣｕ濃度の最大値が４原子％以下である、合金組成がＦｅ１００−ａ−ｂ−ｃ−ｄＭａＳｉｂＢｃＣｕｄ（原子％）（但し、ＭはＴｉ、Ｖ、Ｚｒ、Ｎｂ、Ｍｏ、Ｈｆ、Ｔａ、Ｗから選ばれた少なくとも１種の元素で、０≦ａ≦１０、０≦ｂ≦２０、４≦ｃ≦２０、０．１＜ｄ≦３、９≦ａ＋ｂ＋ｃ≦３５を満足し、不可避不純物を含む）の非晶質合金薄帯をロール冷却により作製し、加工を施し、その後、ナノ結晶化のための熱処理を行うことを特徴とするナノ結晶軟磁性合金の製造方法。
【発明の詳細な説明】
【技術分野】
【０００１】
本発明は、各種トランス、各種リアクトル・チョークコイル、ノイズ対策部品、レーザ電源や加速器などに用いられるパルスパワー磁性部品、通信用パルストランス、各種モータ磁心、各種発電機、各種磁気センサ、アンテナ磁心、各種電流センサ、磁気シールド等に用いられるナノ結晶軟磁性合金用の加工性に優れた非晶質合金薄帯、優れた磁気特性を示すナノ結晶軟磁性合金ならび磁心、およびそのナノ結晶軟磁性合金の製造方法に関する。
【背景技術】
【０００２】
各種トランス、各種リアクトル、チョ−クコイル、ノイズ対策部品、レーザ電源、加速器用パルスパワー磁性部品等に用いられる軟磁性材料としては、ケイ素鋼、フェライト、非晶質合金やナノ結晶合金等が知られている。フェライト材料は、飽和磁束密度が低く、温度特性が悪い問題があり、大容量インバータ・電源のコイル部品や配電用トランスなどハイパワーで使用される用途には、磁気的に飽和しやすく不向きである。ケイ素鋼板は、材料が安価で磁束密度は高いが、高周波の用途に対しては磁心損失が大きいという問題がある。非晶質合金は、通常液相や気相から急冷し製造される。Ｆｅ基やＣｏ基の非晶質合金は結晶粒が存在しないために本質的に結晶磁気異方性が存在せず、優れた軟磁気特性を示すことが知られている。このため、Ｆｅ基やＣｏ基の非晶質合金は電力用変圧器鉄心、チョークコイル、磁気ヘッドや電流センサなどに使用されている。
【０００３】
ナノ結晶合金は、Ｃｏ基非晶質合金に匹敵する優れた軟磁気特性とＦｅ基非晶質合金に匹敵する高い飽和磁束密度を示すことが知られており、コモンモ−ドチョ−クコイル、高周波トランス、パルストランス等の磁心に使用されている。代表的組成系は特公平４−４３９３号公報や特開平１−２４２７５５号公報に記載のＦｅ−Ｃｕ−（Ｎｂ，Ｔｉ，Ｚｒ，Ｈｆ，Ｍｏ，Ｗ，Ｔａ）−Ｓｉ−Ｂ系合金やＦｅ−Ｃｕ−（Ｎｂ，Ｔｉ，Ｚｒ，Ｈｆ，Ｍｏ，Ｗ，Ｔａ）−Ｂ系合金等が知られている。これらのＦｅ基ナノ結晶合金は、通常液相や気相から急冷して非晶質合金とした後、これを熱処理により微結晶化することにより作製されている。液相から急冷する方法としては単ロ−ル法、双ロ−ル法、遠心急冷法、回転液中紡糸法、アトマイズ法やキャビテーション法等が知られている。また、気相から急冷する方法としては、スパッタ法、蒸着法、イオンプレ−ティング法等が知られている。Ｆｅ基ナノ結晶合金はこれらの方法により作製した非晶質合金を微結晶化したもので、非晶質合金にみられるような熱的不安定性がほとんどなく、Ｆｅ系非晶質合金と同程度の高い飽和磁束密度と低磁歪で優れた軟磁気特性を示すことが知られている。更にナノ結晶合金は経時変化が小さく、温度特性にも優れていることが知られている。
【０００４】
また、特許文献３では上記に示すようなＦｅ基ナノ結晶合金について調べており、例えば、SiO2換算で表面から10nmよりも深い位置で、酸素よりFeの原子濃度が高く、表面から5nmよりも深い位置でCuの原子濃度が極部的に高まった軟磁性薄板が開示されている。
また、非晶質合金薄帯を加工するための技術として，特許文献４のように、合金組成にＣ，Ｐ，Ｓ元素などを添加して加工性をあげることが記載されている。
【先行技術文献】
【特許文献】
【０００５】
【特許文献１】特公平４−４３９３号公報
【特許文献２】特開平１−２４２７５５号公報
【特許文献３】特開２００２−７５７１８号公報
【特許文献４】特開２００６−３１６３４８号公報
【発明の概要】
【発明が解決しようとする課題】
【０００６】
非晶質合金薄帯は通常単ロール法などの超急冷法により製造される。ナノ結晶軟磁性合金は、この非晶質合金薄帯を熱処理して結晶化することにより製造される。量産の場合は、量産性を向上して材料コストを低減させる必要がある。よって製造プロセスは、広幅の非晶質合金薄帯を長時間製造して連続の非晶質合金薄帯を作製し、この連続合金薄帯に切断、打ち抜き、スリットなどの加工を行い、この非晶質合金薄帯を熱処理してナノ結晶軟磁性合金を作製するという順番で行われている。非晶質合金を熱処理して作製されるナノ結晶軟磁性合金は脆化して加工が困難となる。
このため、ナノ結晶軟磁性合金用の非晶質合金薄帯は、加工性が良好である必要がある。しかし、量産レベルで製造される非晶質合金薄帯は薄帯が脆化しやすいという課題がある。このひとつの原因として、ロール温度の上昇や鋳造雰囲気などの違いにより、薄帯表面の元素濃度分布が変化していることが考えられる。非晶質合金薄帯が脆化すると、切断、打ち抜き、スリットなどの加工が難しくなり、磁心を製造する際に問題となる。特許文献４のようにＮ，Ｃ，Ｐ元素などを添加することは磁気特性を悪化させるため、高磁気特性が求められるナノ結晶軟磁性合金としては適用が難しい。
したがって、加工性が良好なナノ結晶軟磁性合金用の非晶質合金薄帯の出現が強く望まれている。
そこで、本発明は、各種トランス、各種リアクトル・チョークコイル、ノイズ対策部品、レーザ電源や加速器などに用いられるパルスパワー磁性部品、通信用パルストランス、各種モータ磁心、各種発電機、各種磁気センサ、アンテナ磁心、各種電流センサ、磁気シールド等に用いられるナノ結晶軟磁性合金用の加工性に優れた非晶質合金薄帯、それを用いたナノ結晶軟磁性合金、磁心、ならびにそのナノ結晶軟磁性合金の製造方法を提供することを目的とする。
【課題を解決するための手段】
【０００７】
本発明ではＣｕを含むナノ結晶軟磁性合金用の非晶質合金薄帯を製造する際の製造条件を制御することによりＣｕ元素の濃度分布の制御を行い、ナノ結晶軟磁性合金用として好適な加工性に優れた非晶質合金を実現した。
【０００８】
本発明の非晶質合金薄帯は、合金組成がＦｅ１００−ａ−ｂ−ｃ−ｄＭａＳｉｂＢｃＣｕｄ（原子％）で表され、０≦ａ≦１０、０≦ｂ≦２０、４≦ｃ≦２０、０．１≦ｄ≦３、９≦ａ＋ｂ＋ｃ≦３５および不可避不純物からなる非晶質合金薄帯であり、ここでＭはＴｉ、Ｖ、Ｚｒ、Ｎｂ、Ｍｏ、Ｈｆ、Ｔａ、Ｗから選ばれた少なくとも１種の元素であり、前記非晶質合金薄帯の表面側に最表面部よりも高い濃度でＣｕが偏析しているＣｕ偏析部が存在し、そのＣｕ偏析部でのＣｕ濃度の最大値が４原子％以下であることを特徴とする。このＣｕ偏析部の特徴は薄帯の両面で観察される。Ｃｕ偏析部はＣｕの濃度が極部的に高い部分を指し、主に表面から２nmから２０nmの深さの範囲で観察される。Ｃｕ偏析部のＣｕ濃度の最大値は、薄帯中央部の母相でのＣｕ濃度より概ね高い。
【０００９】
本発明において、Ｃｕ偏析部でのＣｕ濃度の最大値が４原子％を超えると、薄帯の加工性が著しく劣化して打ち抜き、スリットや切断などの加工が困難となる。このため、Ｃｕ濃度の最大値が４原子％以下となるように制御し非晶質合金薄帯を製造する必要がある。このＣｕ濃度分布を制御するためには、非晶質合金薄帯を製造する際の冷却速度（薄帯の温度）を制御する必要がある。詳細は後述する。Ｃｕ濃度の最大値を４原子％以下とすることで、靭性に優れた非晶質合金薄帯が製造でき好ましい結果が得られる。
【００１０】
また、前記Ｃｕ偏析部でのＣｕ濃度の最大値が薄帯表面から５００ｎｍの位置のＣｕ濃度よりも高く、前記Ｃｕ偏析部より表面側の位置にＳｉの偏析部が存在する非晶質合金薄帯は、絶縁性に優れたＳｉ酸化物が表面に存在し、磁心に使用した場合層間絶縁抵抗が高まり優れた高周波磁気特性を実現することが可能である。Ｃｕ濃度は薄帯の表面から５００ｎｍの位置でほぼ合金組成のＣｕ量と同じになる。つまり薄帯の表面から５００ｎｍの位置では母相のナノ結晶層が存在している。また、Ｓｉ偏析部が存在する位置よりも表面側の浅い位置にＦｅ濃度が最小値となる領域を存在させることにより、絶縁性が更に向上する。
【００１１】
本発明においてＦｅは必須の元素である。ＭはＴｉ、Ｖ、Ｚｒ、Ｎｂ、Ｍｏ、Ｈｆ、Ｔａ、Ｗから選ばれた少なくとも１種の元素であり、非晶質化を助ける効果と熱処理により結晶化する際に結晶粒を微細化する効果を有する。また、Ｔｉ、Ｎｂ、Ｔａなどの元素は耐蝕性を向上する効果も有している。Ｍ量ａは１０原子％以下である必要がある。これはＭ量ａが１０原子％を超えると磁束密度の著しい低下を招くためである。但し、Ｍ量ａが０原子％でも非晶質合金薄帯は得られ、Ｃｕ偏析部のＣｕ濃度の最大値を下げればＭ元素を含むものと同様に加工性は向上する。Ｓｉは非晶質化を助ける効果があり、ナノ結晶軟磁性材料においては軟磁気特性を向上させたり磁歪を低減させたりする効果を有する。また、表面に酸化物の形で偏析することにより、耐環境性を改善したり、磁心に使用する場合の層間絶縁性を向上したりする効果がある。Ｓｉ量ｂは２０原子％以下である必要がある。これはＳｉ量が２０原子％を超えると飽和磁束密度の著しい低下を招き好ましくないためである。特に好ましいＳｉ量ｂの範囲は８≦ｂ≦１７であり、優れた軟磁気特性が得られる。但し、Ｓｉ量ｂが０原子％でも非晶質合金薄帯は得られ、Ｃｕ偏析部のＣｕ濃度の最大値を下げればＭ元素を含むものと同様に加工性は向上する。Ｂは非晶質形成能を高める元素であり、Ｂ量ｃは４原子％以上２０原子％以下である必要がある。これは、Ｂ量ｃが４原子％未満では非晶質形成が困難となって好ましくなく、２０原子％を超えると飽和磁束密度の著しい低下を招くためである。特に好ましいＢ量ｃの範囲は５≦ｃ≦１０であり、ナノ結晶化後に特に優れた軟磁気特性が得られ、磁歪も比較的低くすることができる。Ｃｕはナノ結晶化の際に結晶粒を微細化・結晶粒組織を均一化する効果を有する。Ｃｕが０．１原子％未満であるとこの効果が不十分である。一方、Ｃｕ量ｄは３原子％以下である必要がある。これは、Ｃｕ量ｄが３原子％を超えると連続的な非晶質合金薄帯製造が困難となるためである。特に好ましいＣｕ量ｄの範囲は０．４≦ｄ≦２、さらには０．５≦ｄ≦１．５であり、この範囲で非晶質合金薄帯製造が容易でかつナノ結晶化後のナノ結晶合金において特に優れた軟磁気特性を実現できる。Ｍ量ａ、Ｓｉ量ｂ、Ｂ量ｃの総和ａ＋ｂ＋ｃは９≦ａ＋ｂ＋ｃ≦３５である必要がある。これは、Ｍ量ａ、Ｓｉ量ｂ、Ｂ量ｃの総和ａ＋ｂ＋ｃが９原子％未満では非晶質化が困難であり、３５原子％を超えると飽和磁束密度の著しい低下を招くためである。
【００１２】
本発明非晶質合金の不可避不純物としてはＮ、Ｏ、Ｓなどがあり、これらの元素を微量含む場合も本発明に含まれるのはもちろんである。
【００１３】
本発明非晶質合金薄帯においてＦｅ量の５０％以下をＣｏ、Ｎｉから選ばれた少なくとも１種の元素で置換することができる。Ｃｏ、ＮｉをＦｅと置換することにより、ナノ結晶軟磁性材料の誘導磁気異方性を制御することが可能である。また、Ｃｏの場合は飽和磁束密度を向上する効果も有する。
【００１４】
本発明非晶質合金薄帯において、ＳｉとＢの総量の５０％以下をＣ、Ａｌ、Ｐ、Ｇａ、Ｇｅから選ばれた少なくとも１種の元素で置換することができる。これらの元素を置換することにより、熱処理しナノ結晶化させたナノ結晶合金の磁歪や磁気特性を調整することができる。Ｐは非晶質形成元素であり、非晶質化を助ける働きもある。
Ｍの５０％以下をＣｒ、Ｍｎ、Ｚｎ、Ａｓ、Ｓｅ、Ｓｂ、Ｓｎ、Ｉｎ、Ｃｄ、Ａｇ、Ｂｉ、Ｍｇ、Ｓｃ、Ｒｅ、Ａｕ、白金族元素、Ｙ、希土類元素から選ばれた少なくとも１種の元素で置換することができる。
【００１５】
本発明の非晶質合金薄帯を用いたナノ結晶合金薄帯は、Ｃｕを含み平均粒径が５０ｎｍ以下の結晶粒が少なくとも一部に存在し、合金薄帯表面から２ｎｍよりも深い位置にＣｕ偏析部が存在する。Ｃｕを含む非晶質合金薄帯を熱処理してナノ結晶化させると、Ｃｕが熱処理の際に合金薄帯表面に形成する結晶粒の粗大化を抑制し、結晶を微細化させる。このため、粗大結晶粒形成による軟磁気特性の劣化を抑制することができる。熱処理前の非晶質合金薄帯にＣｕ偏析部がないと粗大な結晶粒が形成しやすく適正な熱処理条件範囲が狭まり軟磁気特性が劣化し易くなる。
【００１６】
本発明ナノ結晶軟磁性合金において、均質な微細組織を得るためには、原材料を溶解後、液体急冷法によって合金薄帯を作製した時点でアモルファス相を主相とする組織が得られることが重要である。本発明において、液体急冷法によって作製されたアモルファス合金薄帯中に結晶粒が存在しても良いが、できる限りアルファス単相であることが望ましい。その後、結晶化温度以上の温度領域まで加熱し熱処理を施し、結晶粒径５０ｎｍ以下の体心立方構造の結晶粒が非晶質母相中に分散した組織とする。ナノ結晶粒相が体積分率で５０％以上を占めることにより、軟磁性を更に改善させることや磁歪の低減が図れる。
結晶粒の体積比は、線分法により求められる。すなわち結晶粒の体積比は、顕微鏡組織写真中に任意の直線を想定しそのテストラインの長さをＬｔ、結晶相により占められる線の長さＬｃを測定し、結晶粒により占められる線の長さの割合ＬＬ＝Ｌｃ／Ｌｔを求めることにより得られる。熱処理後の合金中に存在する結晶粒の結晶粒径は、５０ｎｍ以下が望ましい。これは、結晶粒径が５０ｎｍを超えると軟磁気特性の著しい劣化が起こり好ましくないためである。特に好ましい結晶粒径は５ｎｍ〜２０ｎｍであり、特に優れた軟磁性が得られる。
【００１７】
具体的な製造方法は、前記組成の溶湯を単ロール法等の超急冷技術によって、一旦アモルファス相を主相とする合金を作製後、これを機械加工し、熱処理を施して平均粒径が５０ｎｍ以下の極微結晶組織を形成することによって得られる。単ロール法等の急冷技術による薄帯の作製および熱処理はＡｒ、Ｈｅ、窒素、一酸化炭素、二酸化炭素の雰囲気中や大気中あるいは減圧下の酸素濃度をコントロ−ルする。
【００１８】
本発明の非晶質合金薄帯を実現するためには、単ロール法などの液体急冷法によりＣｕを含む非晶質合金薄帯を作製する際、製造時のロール上の薄帯温度を制御することが重要である。広幅の非晶質合金薄帯を製造する場合、非晶質合金薄帯は冷却ロールに固化後も密着し冷却される。このロール上の非晶質合金薄帯の熱履歴が合金薄帯表面のＣｕ濃度分布に大きな影響を与え、熱処理後の表面のミクロ組織や磁気特性に影響を与えることが判明した。Ｃｕを含む本発明の非晶質合金薄帯は、薄帯製造の際、出湯位置からロール周方向で２５０ｍｍの位置の合金薄帯の温度が２００℃以上４００℃以下の条件で製造する。２５０ｍｍの位置の合金薄帯温度が２００℃未満ではＣｕ偏析部とＣｕ濃度の少ない領域が十分形成されないため、熱処理後表面に粗大な結晶が形成しやすくなる。４００℃を超えると熱処理前の段階で非晶質合金薄帯が脆化しやすくなるため好ましくない。
【００１９】
また、本発明の非晶質合金薄帯を製造する際に、薄帯がロールに密着している付近のガス中に５％以上の酸素が含まれる雰囲気の下で製造することによりＣｕ偏析部より表面側の浅い位置のＳｉ偏析部を制御でき、表面のＳｉＯ２系の酸化皮膜の厚さを制御することができる。また、後述するナノ化のための熱処理でも炉中の酸素濃度（真空度）を制御することでこの表面のＳｉＯ２系の酸化皮膜厚さを制御することができる。
これらの技術により、本発明のナノ結晶合金は絶縁性が向上し、積層磁心や巻磁心を作製した場合に高周波磁気特性が改善される。本発明ナノ結晶軟磁性合金において合金表面から１２ｎｍの位置の酸素濃度（原子％）がＦｅ濃度（原子％）よりも高い場合、より表面の絶縁がやぶれにくく巻磁心や積層磁心として使用した場合に、高周波特性の劣化やばらつきを抑制できる。
【００２０】
本発明の非晶質合金薄帯は、結晶化温度以上で熱処理することで、前述したナノ結晶軟磁性合金となる。この熱処理を磁界中熱処理とすることにより、誘導磁気異方性によってナノ結晶軟磁性合金の軟磁気特性が改善される。誘導磁気異方性を付与する磁界中熱処理は、熱処理中の一部の期間あるいは全期間磁界を印加しながら熱処理を行う。印加する磁界は、直流、交流、繰り返しのパルス磁界のいずれでも良い。印加磁界は、合金が磁気的に飽和する程度以上の強さとすると、好ましい結果が得られる。磁界中熱処理により、高角形比の角形性の良好なＢ−Ｈループや低角形比の直線性の良いＢ−Ｈループの材料が得られる。回転磁界中熱処理により軟磁気特性を改善することもできる。熱処理は大気中、真空中、Ａｒ、窒素等の不活性ガス中で行うことができるが、特に不活性ガス中で行うことが望ましい。熱処理は、通常３５０℃から６５０℃の範囲で行なう。一定温度で保持する時間は量産性の観点から通常は２４時間以下であり、好ましくは４時間以下である。特に望ましくは１時間以下である。熱処理の平均昇温速度は０．１℃／ｍｉｎから１００００℃／ｍｉｎが好ましく、より好ましくは１００℃／ｍｉｎ以上であり、低保磁力を得ることができる。熱処理は１段処理でなく、多段処理、複数回処理を行っても良い。さらに、合金に直接電流を流して、ジュール熱によって熱処理を施す、高周波励磁して発熱させて熱処理を施すこともできる。また、応力下で熱処理し、誘導磁気異方性を付与しＢ−Ｈループ形状を制御することも可能である。
【００２１】
本発明のナノ結晶軟磁性合金は、必要に応じてＳｉＯ２、ＭｇＯ、Ａｌ２Ｏ３等の粉末あるいは膜で合金薄帯表面を被覆する、化成処理により表面処理し絶縁層を形成する、アノード酸化処理により表面に酸化物絶縁層を形成し層間絶縁を行う等の処理を行い、更に絶縁性を高めることができる。これは特に高周波励磁される場合において層間を渡る渦電流をより一層低減し、高周波における磁心損失を更に改善する効果がある。表面状態が良好でかつ広幅の薄帯から構成された磁心に層間絶縁を適用すると更に著しい高周波磁気特性改善効果が得られる。更に、本発明合金から磁心を作製する際に必要に応じて含浸やコーティング等を行うことも可能である。本発明合金は高周波の用途として特にパルス状電流が流れるような応用品に最も性能を発揮するが、センサや低周波の磁性部品の用途にも使用可能である。特に、磁気飽和が問題となる用途において優れた特性を発揮可能で、ハイパワーのパワーエレクトロニクスの用途に特に適している。
【００２２】
更に本発明のナノ結晶軟磁性合金は粉末状にしても優れた特性を得ることができるため、圧粉磁心やノイズ吸収シートなどにも利用できる。
【００２３】
本発明のナノ結晶軟磁性合金の少なくとも一部または全部には平均粒径５０ｎｍ以下の結晶粒が形成している。前記結晶粒は組織の３０％以上の割合であることが望ましく、より好ましくは５０％以上、特に好ましくは６０％以上である。特に望ましい平均結晶粒径は２０ｎｍ以下であり、この範囲において特に低い保磁力および低い磁心損失が得られる。
前述のナノ結晶軟磁性合金中に形成する微結晶粒は主にＦｅを主体とする体心立方構造（ｂｃｃ）の結晶相であり、Ｃｏ、Ｎｉ、Ｓｉ，Ｂ，ＧｅやＺｒ等が固溶しても良い。また、規則格子を含んでも良い。前記結晶相以外の残部は主にアモルファス相であるが、実質的に結晶相だけからなる合金も本発明に含まれる。また、Ｃｕを含む面心立方構造の相（ｆｃｃ相）が存在しても良い。
アモルファス母相中にナノスケールのｂｃｃ結晶粒が分散した組織の合金は、抵抗率が高く、結晶粒成長が抑制され、高周波の磁気特性が改善されるためより好ましい結果が得られる。
本発明合金において化合物相が存在しない場合により低い保磁力、低い磁心損失を示すが一部に化合物相を含んでも良い。
【００２４】
もうひとつの本発明は前記ナノ結晶軟磁性合金からなる磁心である。本発明磁心は主として巻磁心や積層磁心で使用されるが、粉砕して粉末とし圧粉磁心や樹脂との複合シートや複合磁心としても使用できる。本発明の磁心は優れた軟磁気特性を示すナノ結晶軟磁性合金から構成されているため、磁心の低損失化や小型化などが可能である。
【発明の効果】
【００２５】
本発明の非晶質合金薄帯は、薄帯表面から２ｎｍよりも深い位置にＣｕ偏析部が存在し、そのＣｕ偏析部でのＣｕ濃度の最大値が４原子％以下とするように製造したことで、靭性に優れた非晶質合金薄帯とすることができる。これによりナノ結晶化前に打ち抜き、スリットや切断加工が容易となり、熱処理前の靭性に優れた状態で加工ができるためナノ結晶軟磁性合金からなる磁心を加工しなくても済むので、磁心の形状を自由に設定できるようになる。
【図面の簡単な説明】
【００２６】
【図１】本発明の非晶質合金薄帯の自由面（自由凝固した面）の表面から内部に向かってＧＤＯＥＳにより測定した元素の濃度分布の測定結果の一例を示した図である。
【図２】図１の測定結果を深さ０〜１００ｎｍの範囲で拡大して示した図である。
【発明を実施するための形態】
【００２７】
以下に本発明を実施例によって具体的に説明するが、これら実施例により本発明が限定されるものではない。
【００２８】
（実施例１）
原子％でＦｅｂａｌ．Ｃｕ０．９８Ｎｂ３．１Ｓｉ１３．４Ｂ９．３の合金組成で幅５０ｍｍ厚さ１９μｍの非晶質合金薄帯を作製した。Ｃｕ−Ｂｅ系の銅合金製のロールを用い、酸素濃度20％の雰囲気中で作製した。出湯位置（ノズル位置）から２５０ｍｍの位置での合金薄帯の温度を放射温度計により測定しながら、２７０℃の温度になるよう冷却水量と水温を調整し作製した。作製した非晶質合金薄帯のＸ線回折を自由面側とロール面側で行った結果、非晶質合金特有のハローパターンであり非晶質単相であることが確認された。また、作製した非晶質合金を切断し加工性を調査した結果、割れが発生せず加工性に優れていることが確認された。
作製した合金薄帯の自由面（自由凝固した面）の表面から内部に向かって元素の濃度分布をグロー放電発光分光分析［ＧＤＯＥＳ（Ｇｌｏｗ  Ｄｉｓｃｈａｒｇｅ  Ｏｐｔｉｃａｌ  Ｅｍｉｓｓｉｏｎ  Ｓｐｅｃｔｒｏｓｃｏｐｙ）］により測定した。深さ５００ｎｍまでＦｅ，Ｓｉ，Ｂ，Ｎｂ，Ｃｕを分析して得られた結果を図１に示す。また図２に同じ試料の表面から１００ｎｍの範囲のＦｅ，Ｓｉ，Ｏ，Ｃｕの濃度分布を拡大して示す。合金の表面はＳｉとＯが多くＳｉＯ２などの酸化物が主として形成している。表面から７．４ｎｍの位置でＣｕ偏析部のＣｕ濃度が最大値となっているＣｕ濃度の最大値は１．７原子％程度あり、更にそれより深い表面から１８．２ｎｍの位置にＣｕ濃度の低い領域が存在する。この領域のＣｕ濃度は表面から５００ｎｍの位置のＣｕ濃度よりも低い。ロール面側も同様のＧＤＯＥＳによる分析を行った結果、類似した濃度依存性を示すことが確認された。
次にこの合金薄帯を外径38ｍｍ、内径30ｍｍに巻き回し巻磁心を作製した。この巻磁心の一部を切断加工したところ、割れも発生せず綺麗な切断面を持つ巻磁心が得られた。露点が−６１℃の窒素ガス雰囲気中で５５０℃１時間保持し熱処理を行った。この巻磁心の磁気特性は、８００Ａ／ｍにおける磁束密度Ｂ８００が１．２４Ｔ、保磁力Ｈｃが０．３５Ａ／ｍ、最大比透磁率μｍが１１０００００、１ｋＨｚにおける比初透磁率が129000である。熱処理後の合金のＸ線回折を行った結果、体心立方（ｂｃｃ）構造のＦｅ-Ｓｉ結晶相が形成していることが確認された。ＴＥＭによる組織観察の結果、合金表面に大きな結晶は存在せず粒径約１２ｎｍのｂｃｃＦｅ−Ｓｉ結晶粒がアモルファス母相中に形成していることが確認された。次に、熱処理後の合金薄帯について同様にＧＤＯＥＳによる分析を行った。合金の表面はＳｉとＯが多くＳｉＯ２などの酸化物が主として形成している。表面から１５．６ｎｍの位置にＣｕ偏析部が存在している。Ｃｕ偏析部は６原子％程度あり熱処理前よりもＣｕ濃度の最大値は大きくなっている。本発明非晶質合金薄帯は靭性に優れており、熱処理によりナノ結晶化を行った後のナノ結晶合金の磁気特性も優れていた。
【００２９】
比較のために、アルゴンガス雰囲気中でＣｕ−Ｃｒ系の銅合金製のロールを用いて同組成の合金薄帯を作製した。出湯位置（ノズル位置）から２５０ｍｍの位置での合金薄帯の温度を放射温度計により測定しながら、３５０℃の温度になるよう調整しながら作製した。作製した非晶質合金薄帯のＸ線回折を自由面側とロール面側で行った結果、非晶質合金特有のハローパターンが認められ非晶質相が形成されていることが確認された。作製した合金薄帯を切断したが割れが発生し加工性に劣ることが確認された。作製した合金薄帯の自由面（自由凝固した面）の表面から内部に向かって元素の濃度分布をＧＤＯＥＳにより測定した。表面から１４．２ｎｍの位置でＣｕ偏析部のＣｕ濃度が最大値になっている。Ｃｕ濃度の最大値は４．５原子％程度あり、Ｃｕの高濃度の偏析が加工性の劣化の原因であると考えられる。
また、非晶質合金薄帯を酸素濃度20％の雰囲気中でＣｕ−Ｂｅ系の銅合金製のロールを用い、出湯位置（ノズル位置）から２５０ｍｍの位置での合金薄帯の温度を放射温度計により測定しながら、４２０℃の温度になるよう冷却水量と水温を調整して非晶質合金薄帯を作製した。作製した合金薄帯を切断したところ、上記と同様に割れが発生し加工性に劣ることが確認された。作製した合金薄帯の自由面（自由凝固した面）の表面から内部に向かって元素の濃度分布をＧＤＯＥＳにより測定したところ、Ｃｕ偏析部の濃度の最高値は４原子％を超えた値であることが確認された。
【００３０】
（実施例２）
原子％でＦｅｂａｌ．Ｃｕ０．９５Ｎｂ３．0Ｓｉ１5．5Ｂ6.8の合金組成で幅２５ｍｍ厚さ１８μｍの非晶質合金薄帯を作製した。Ｃｕ−Ｂｅ系の銅合金製のロールを用い、酸素濃度２１％の雰囲気中で作製した。出湯位置（ノズル位置）から２５０ｍｍの位置での合金薄帯の温度を放射温度計により測定しながら、２５０℃の温度になるよう冷却水量と水温を調整し作製した。作製した非晶質合金薄帯のＸ線回折を自由面側とロール面側で行った結果、非晶質合金特有のハローパターンであり非晶質単相であることが確認された。作製した合金薄帯のロール面（ロールと接触した面）の表面から内部に向かって元素の濃度分布をＧＤＯＥＳにより測定した結果、実施例１と同様に表面から８ｎｍの位置でＣｕ偏析部のＣｕ濃度が最大値になっている。Ｃｕ濃度の最大値は１．９原子％程度あり、更にそれより深い表面から１９．３ｎｍの位置にＣｕ濃度の低い領域が存在することが確認された。この合金薄帯からリング状の試料を打ち抜き加工により作製した。本発明非晶質合金薄帯は靭性に優れているため割れなどは発生せず打ち抜くことが可能であった。次に打ち抜いたリング状の合金試料を、露点が−７０℃のアルゴンガス雰囲気中で５５０℃１時間の熱処理を行い本発明ナノ結晶軟磁性合金磁心を作製し、このリング試料を重ねてフェノール樹脂製のコアケースに入れ、磁気特性を測定した。Ｂ８００は１．２３Ｔ、Ｈｃは０．４Ａ／ｍ、１ｋＨｚにおける比初透磁率μ1kは１６８０００、１００ｋＨｚにおける比初透磁率μ100kは１６５００、２０ｋＨｚ，０．２Ｔにおける磁心損失Ｐｃｍは２．０Ｗ/ｋｇであった。熱処理後の合金薄帯のＸ線回折およびＴＥＭ観察を行った結果、組織の７３％が粒径約１４ｎｍのｂｃｃＦｅ−Ｓｉ結晶粒からなることが確認された。規則相による回折ピークも確認されたことから規則相が存在していることも確認された。次に作製した磁心に巻線をしてトランスを作製した。損失が低く良好な特性を示すことが確認された。
【００３１】
（実施例３）
表１に示す組成の合金薄帯を単ロール法により作製した。Ｃｕ−Ｂｅ系の銅合金製のロールを用い、酸素濃度20％の雰囲気中で作製した。出湯位置（ノズル位置）から２５０ｍｍの位置での合金薄帯の温度を放射温度計により測定しながら、その薄帯の温度が２７０℃になるよう冷却水量と水温を調整し作製した。作製した非晶質合金薄帯のＸ線回折を自由面側とロール面側で行った結果、非晶質合金特有のハローパターンであり非晶質単相であることが確認された。また、作製した非晶質合金を切断し加工性を調査した結果、割れが発生せず加工性に優れていることが確認された。
【００３２】
【表１】
0005339192.tif 000002
【産業上の利用可能性】
【００３３】
本発明は、各種トランス、各種リアクトル・チョークコイル、ノイズ対策部品、レーザ電源や加速器などに用いられるパルスパワー磁性部品、通信用パルストランス、各種モータ磁心、各種発電機、各種磁気センサ、アンテナ磁心、各種電流センサ、磁気シールド等に用いられるナノ結晶軟磁性合金用の加工性に優れた非晶質合金薄帯、優れた磁気特性を示すナノ結晶軟磁性合金ならびにナノ結晶軟磁性合金からなる磁心として利用できる。
【図１】
0005339192.tif 000003
【図２】
0005339192.tif 000004